(57)【要約】      （修正有）【課題】詰替用液体袋の交換が容易且つ確実に行うことが可能であり、しかも極めて簡素な構成で低コストな液体取出装置を提供する。【解決手段】液体を収納した詰替用液体袋２と、液体の吸引・注出手段であるポンプ体３と、ポンプ体の吸引部に連通すると共に前記詰替用液体袋の内部に挿通配設される吸引管４と、を有して成り、ポンプ体の動作によって液体を吸引・注出するに従って、詰替用液体袋内の負圧化に伴って収縮（縮小）していく構成のエアレスタイプの液体取出装置１において、詰替用液体袋が、外容器本体部１１と外容器蓋体部とから成る外容器に収納されて用いられ、外容器蓋体部の下面側部分に詰替用液体袋の口部２１が液密・気密状態で螺合取付されると共に、外容器蓋体部の上面側部分にポンプ体を液密・気密状態で螺合取付され、詰替用液体袋の口部とポンプ体とが外容器蓋体部を介在して液密・気密状態で接続される構成である。【選択図】図１
0003222637.tif 000002
【実用新案登録請求の範囲】
【請求項１】
液体を収納した詰替用液体袋と、該詰替用液体袋に収納した液体の吸引・注出手段であるポンプ体と、該ポンプ体に取り付けられて該ポンプ体の吸引部に連通すると共に前記詰替用液体袋の内部に挿通配設される吸引管と、を有して成り、
前記ポンプ体の動作によって前記詰替用液体袋内の液体を吸引・注出するに従って、前記詰替用液体袋内の負圧化に伴って収縮（縮小）していく構成のエアレスタイプの液体取出装置において、
前記詰替用液体袋が、外容器に収納された状態で用いられる構成であり、
前記外容器が、前記詰替用液体袋を収納する外容器本体部と、該外容器本体部の蓋体である外容器蓋体部と、を有して成り、
前記詰替用液体袋の口部の外周に口部螺合部が設けられ、この口部螺合部が螺合する口部被螺合部が前記外容器蓋体部の下面側部分に設けられることにより、外容器蓋体部の下面側部分に詰替用液体袋の口部が液密・気密状態で螺合取付される構成であると共に、
前記ポンプ体にポンプ体螺合部が設けられ、このポンプ体螺合部が螺合するポンプ体被螺合部が前記外容器蓋体部の上面側部分に設けられることにより、外容器蓋体部の上面側部分にポンプ体を液密・気密状態で螺合取付される構成であること、
によって、詰替用液体袋の口部とポンプ体とが外容器蓋体部を介在して液密・気密状態で接続される構成であること、
を特徴とする詰替用液体袋を用いた液体取出装置。
【請求項２】
前記詰替用液体袋の口部が口部蓋体で閉塞されており、
この口部蓋体が、可撓性を有する合成樹脂製であり、前記口部の縁に止着される口部蓋体本体部と、該口部蓋体本体部と一体構成であり且つ前記口部の開口を被覆する口部蓋体被覆膜部と、を有して成り、
該口部蓋体被覆膜部が、破断乃至は穿孔により開栓された状態となる薄膜構成であることを特徴とする請求項１に記載の詰替用液体袋を用いた液体取出装置。
【請求項３】
前記口部蓋体がポリエチレン製であることを特徴とする請求項２に記載の詰替用液体袋を用いた液体取出装置。
【請求項４】
前記口部蓋体被覆膜部の厚みが０．６ｍｍ以下であることを特徴とする請求項２又は３に記載の詰替用液体袋を用いた液体取出装置。
【請求項５】
前記詰替用液体袋の口部が口部蓋体で閉塞されており、
この口部蓋体が、可撓性を有する合成樹脂製であり、前記口部の縁に止着される口部蓋体本体部と、該口部蓋体本体部に固着された状態で前記口部の開口を被覆する口部蓋体被覆膜部と、を有して成り、
該口部蓋体被覆膜部が、破断乃至は穿孔により開栓された状態となる薄膜構成であることを特徴とする請求項１〜４のいずれかに記載の詰替用液体袋を用いた液体取出装置。
【請求項６】
前記口部蓋体本体部がポリエチレン製であることを特徴とする請求項５に記載の詰替用液体袋を用いた液体取出装置。
【請求項７】
前記口部蓋体被覆膜部が未延伸ナイロンフィルムとポリオレフィン系樹脂フィルムを含む積層フィルムで構成されていることを特徴とする請求項５又は６に記載の詰替用液体袋を用いた液体取出装置。
【請求項８】
前記口部蓋体被覆膜部の厚みが０．１ｍｍ以下であることを特徴とする請求項５〜７のいずれかに記載の詰替用液体袋を用いた液体取出装置。
【請求項９】
該口部蓋体が、前記詰替用液体袋の口部に止着された状態のまま液体取出装置に用いられて前記吸引管が突き刺されて開栓された状態となる構成であることを特徴とする請求項２〜８のいずれかに記載の詰替用液体袋を用いた液体取出装置。
【請求項１０】
前記詰替用液体袋の口部が該口部に固着した口部被覆膜部により閉塞されており、
該口部被覆膜部が、破断乃至は穿孔により開栓された状態となる薄膜構成であることを特徴とする請求項１に記載の詰替用液体袋を用いた液体取出装置。
【請求項１１】
前記口部被覆膜部が未延伸ナイロンフィルムとポリオレフィン系樹脂フィルムを含む積層フィルムで構成されていることを特徴とする請求項１０に記載の詰替用液体袋を用いた液体取出装置。
【請求項１２】
前記口部被覆膜部の厚みが０．１ｍｍ以下であることを特徴とする請求項１０又は１１に記載の詰替用液体袋を用いた液体取出装置。
【請求項１３】
該口部被覆膜部が、前記詰替用液体袋の口部に固着された状態のまま液体取出装置に用いられて前記吸引管が突き刺されて開栓された状態となる構成であることを特徴とする請求項１０〜１２のいずれかに記載の詰替用液体袋を用いた液体取出装置。
【請求項１４】
前記詰替用液体袋の口部の内側、又は、この口部に挿通される前記ポンプ体の少なくとも一部の外側に、筒状部材が挿通されており、この筒状部材の外周面と前記口部の内周面とが密接すると共に、この筒状部材の内周面と前記ポンプ体の少なくとも一部の外周面とが密接する構成によって液密・気密状態と成る構成であることを特徴とする請求項１〜１３のいずれかに記載の詰替用液体袋を用いた液体取出装置。
【考案の詳細な説明】
【技術分野】
【０００１】
本考案は詰替用液体袋を用いた液体取出装置に関し、詳しくは可撓性の液体袋に充填された液体を吸引・注出するエアレスタイプの液体の取出装置に関する。
【背景技術】
【０００２】
可撓性を有する液体袋に充填された液体をポンプ手段により吸引・注出するに従って前記液体袋内の負圧化に伴って収縮（縮小）していく構成のエアレスタイプの液体取出装置では、液体袋内の液体を使い切った後は空になった液体袋のみを廃棄し、外容器に新規の詰替用液体袋を収納してポンプ体を装着することにより、ポンプ体・外容器については繰り返し利用することにより省資源化と低コスト化を図っている。
【０００３】
新規の詰替用液体袋にポンプ体を装着する際、詰替用液体袋の口部にポンプ体は液密・気密状態で確実に装着される必要があるが、特に高齢者等においては容易ならざる場合が多いため、容易に且つ確実に装着を行うことができる技術が望まれ、当該技術について様々な構成・方法を有する技術が種々提案されている（例えば、特許文献１、２等参照）。
【先行技術文献】
【特許文献】
【０００４】
【特許文献１】特許３４１１２７０
【特許文献２】特許４１５７９８４
【考案の概要】
【考案が解決しようとする課題】
【０００５】
特許文献１、２に記載の技術は、液体袋の口部の内側奥部に該口部の閉塞・開放機構を配して該口部を閉塞すると共に、ポンプ体等の吸液管の先端に前記を前記口部に挿入して前記閉塞・開放機構を押圧解除することにより前記口部を液密・気密状態を確保した状態で開通可能な構成を有している。
【０００６】
しかし特許文献１、２に記載の技術では、前記した口部の閉塞・開放機構の構成が複雑でありコスト高であるため、液体袋のみであっても単価が高くなり低コストとは言い難いという問題点を有している。
【０００７】
また、前記した口部の閉塞・開放機構は液体袋の内部において少なくない占有体積を必要とするため、液体袋の内部の通液路構成の自由度を阻害する場合があり、充填された液体の注出時に全量を使い切ることができない場合があるという問題点を有している。
【０００８】
更に、ポンプ体の吸液管についても、前記した閉塞・開放機構の押圧解除を行うための専用構成であるため高コスト化を招くという問題点を有している。
【０００９】
そこで本考案の目的は、詰替用液体袋の交換が容易且つ確実に行うことが可能であり、しかも極めて簡素な構成で低コストな詰替用液体袋を用いた液体取出装置を提供することにある。
【課題を解決するための手段】
【００１０】
上記課題を解決する本考案は、下記構成を有する。
【００１１】
１．液体を収納した詰替用液体袋と、該詰替用液体袋に収納した液体の吸引・注出手段であるポンプ体と、該ポンプ体に取り付けられて該ポンプ体の吸引部に連通すると共に前記詰替用液体袋の内部に挿通配設される吸引管と、を有して成り、
前記ポンプ体の動作によって前記詰替用液体袋内の液体を吸引・注出するに従って、前記詰替用液体袋内の負圧化に伴って収縮（縮小）していく構成のエアレスタイプの液体取出装置において、
前記詰替用液体袋が、外容器に収納された状態で用いられる構成であり、
前記外容器が、前記詰替用液体袋を収納する外容器本体部と、該外容器本体部の蓋体である外容器蓋体部と、を有して成り、
前記詰替用液体袋の口部の外周に口部螺合部が設けられ、この口部螺合部が螺合する口部被螺合部が前記外容器蓋体部の下面側部分に設けられることにより、外容器蓋体部の下面側部分に詰替用液体袋の口部が液密・気密状態で螺合取付される構成であると共に、
前記ポンプ体にポンプ体螺合部が設けられ、このポンプ体螺合部が螺合するポンプ体被螺合部が前記外容器蓋体部の上面側部分に設けられることにより、外容器蓋体部の上面側部分にポンプ体を液密・気密状態で螺合取付される構成であること、
によって、詰替用液体袋の口部とポンプ体とが外容器蓋体部を介在して液密・気密状態で接続される構成であること、
を特徴とする詰替用液体袋を用いた液体取出装置。
【００１２】
２．前記詰替用液体袋の口部が口部蓋体で閉塞されており、
この口部蓋体が、可撓性を有する合成樹脂製であり、前記口部の縁に止着される口部蓋体本体部と、該口部蓋体本体部と一体構成であり且つ前記口部の開口を被覆する口部蓋体被覆膜部と、を有して成り、
該口部蓋体被覆膜部が、破断乃至は穿孔により開栓された状態となる薄膜構成であることを特徴とする上記１に記載の詰替用液体袋を用いた液体取出装置。
【００１３】
３．前記口部蓋体がポリエチレン製であることを特徴とする上記２に記載の詰替用液体袋を用いた液体取出装置。
【００１４】
４．前記口部蓋体被覆膜部の厚みが０．６ｍｍ以下であることを特徴とする上記２又は３に記載の詰替用液体袋を用いた液体取出装置。
【００１５】
５．前記詰替用液体袋の口部が口部蓋体で閉塞されており、
この口部蓋体が、可撓性を有する合成樹脂製であり、前記口部の縁に止着される口部蓋体本体部と、該口部蓋体本体部に固着された状態で前記口部の開口を被覆する口部蓋体被覆膜部と、を有して成り、
該口部蓋体被覆膜部が、破断乃至は穿孔により開栓された状態となる薄膜構成であることを特徴とする上記１〜４のいずれかに記載の詰替用液体袋を用いた液体取出装置。
【００１６】
６．前記口部蓋体本体部がポリエチレン製であることを特徴とする上記５に記載の詰替用液体袋を用いた液体取出装置。
【００１７】
７．前記口部蓋体被覆膜部が未延伸ナイロンフィルムとポリオレフィン系樹脂フィルムを含む積層フィルムで構成されていることを特徴とする上記５又は６に記載の詰替用液体袋を用いた液体取出装置。
【００１８】
８．前記口部蓋体被覆膜部の厚みが０．１ｍｍ以下であることを特徴とする上記５〜７のいずれかに記載の詰替用液体袋を用いた液体取出装置。
【００１９】
９．該口部蓋体が、前記詰替用液体袋の口部に止着された状態のまま液体取出装置に用いられて前記吸引管が突き刺されて開栓された状態となる構成であることを特徴とする上記２〜８のいずれかに記載の詰替用液体袋を用いた液体取出装置。
【００２０】
１０．前記詰替用液体袋の口部が該口部に固着した口部被覆膜部により閉塞されており、
該口部被覆膜部が、破断乃至は穿孔により開栓された状態となる薄膜構成であることを特徴とする上記１に記載の詰替用液体袋を用いた液体取出装置。
【００２１】
１１．前記口部被覆膜部が未延伸ナイロンフィルムとポリオレフィン系樹脂フィルムを含む積層フィルムで構成されていることを特徴とする上記１０に記載の詰替用液体袋を用いた液体取出装置。
【００２２】
１２．前記口部被覆膜部の厚みが０．１ｍｍ以下であることを特徴とする上記１０又は１１に記載の詰替用液体袋を用いた液体取出装置。
【００２３】
１３．該口部被覆膜部が、前記詰替用液体袋の口部に固着された状態のまま液体取出装置に用いられて前記吸引管が突き刺されて開栓された状態となる構成であることを特徴とする上記１０〜１２のいずれかに記載の詰替用液体袋を用いた液体取出装置。
【００２４】
１４．前記詰替用液体袋の口部の内側、又は、この口部に挿通される前記ポンプ体の少なくとも一部の外側に、筒状部材が挿通されており、この筒状部材の外周面と前記口部の内周面とが密接すると共に、この筒状部材の内周面と前記ポンプ体の少なくとも一部の外周面とが密接する構成によって液密・気密状態と成る構成であることを特徴とする上記１〜１３のいずれかに記載の詰替用液体袋を用いた液体取出装置。
【考案の効果】
【００２５】
請求項１に示す考案によれば、詰替用液体袋の交換が容易且つ確実に行うことが可能であり、しかも極めて簡素な構成で低コストな詰替用液体袋を用いた液体取出装置を提供することができる。
【００２６】
特に、ポンプ体と詰替用液体袋の口部とを外容器蓋体部を介して液密・気密状態で接続する構成により、容易且つ確実に液密・気密状態での液体注出を行うことができる。詰替用液体袋の口部は、内側や内側奥部に特定の構成を配設する等の複雑な構造を採る必要がなく、単に口部を外容器蓋体部の下面側部分の口部被螺合部に密接状態で螺合する構成とすればよく、またポンプ体も外容器蓋体の上面側部分のポンプ体被螺合部に密接状態で螺合する構成とすればよいので、複雑な構成と要することなく低コストに提供可能である。
【００２７】
請求項２に示す考案によれば、詰替用液体袋を交換する際の開栓時に、該詰替用液体袋内の液体の空気接触を防ぐことができるので、品質低下を抑制することができる。詰替用液体袋の口部を閉塞した口部蓋体は、取り除くことなく被覆膜部を破断乃至は穿孔することで開栓することができる。
【００２８】
請求項３に示す考案によれば、低コストで製造可能であるだけでなく、液体取出装置のポンプ体に連通する吸引管を被覆膜部に突き刺した際、この吸引管の外周面に被覆膜部の穿孔の周囲部分が密着することになり、この穿孔部分からの液漏れや空気侵入がなく、安定した吸引吐出と品質保持が可能である。
【００２９】
請求項４に示す考案によれば、液体取出装置のポンプ体に連通する吸引管を被覆膜部に突き刺す際に、容易且つ確実に穿孔することができる。
【００３０】
請求項５に示す考案によれば、詰替用液体袋を交換する際の開栓時に、該詰替用液体袋内の液体の空気接触を防ぐことができるので、品質低下を抑制することができる。詰替用液体袋の口部を閉塞した口部蓋体は、取り除くことなく被覆膜部を破断乃至は穿孔することで開栓することができる。
【００３１】
請求項６に示す考案によれば、液体取出装置のポンプ体に連通する吸引管を被覆膜部に突き刺した際、この吸引管の外周面に被覆膜部の穿孔の周囲部分が密着することになり、この穿孔部分からの液漏れや空気侵入がなく、安定した吸引吐出と品質保持が可能である。
【００３２】
請求項７に示す考案によれば、液密性及び気密性の保持が容易である。
【００３３】
請求項８に示す考案によれば、液体取出装置のポンプ体に連通する吸引管を被覆膜部に突き刺す際に、容易且つ確実に穿孔することができる。
【００３４】
請求項９に示す考案によれば、詰替用液体袋を交換する際の開栓時に、該詰替用液体袋内の液体の空気接触を防ぐことができるので、品質低下を抑制することができる。
【００３５】
請求項１０に示す考案によれば、詰替用液体袋を交換する際の開栓時に、該詰替用液体袋内の液体の空気接触を防ぐことができるので、品質低下を抑制することができる。詰替用液体袋の口部を閉塞した口部被覆膜部を破断乃至は穿孔することで開栓することができる。
【００３６】
請求項１１に示す考案によれば、液密性及び気密性の保持が容易である。
【００３７】
請求項１２に示す考案によれば、液体取出装置のポンプ体に連通する吸引管を口部被覆膜部に突き刺す際に、容易且つ確実に穿孔することができる。
【００３８】
請求項１３に示す考案によれば、液体取出装置のポンプ体に連通する吸引管を口部被覆膜部に突き刺す際に、容易且つ確実に穿孔することができる。
【００３９】
請求項１４に示す考案によれば、詰替用液体袋の口部と該口部に挿通されるポンプ体の一部との間に間隙が有る既存の製品を用いる場合であっても、この両者の間に挿通される筒状部材の厚みを適宜調整することによりエアレスタイプに適用したり変換することができる。
【図面の簡単な説明】
【００４０】
【図１】本考案に係る詰替用液体袋を用いた液体取出装置の一実施例を示す構成説明図（外容器蓋体部を断面図として示す）
【図２】詰替用液体袋の口部と外容器蓋体部との螺合取付構成と、ポンプ体と外容器蓋体部との螺合取付構成と、による液密・気密状態での接続構成を示す要部説明図（口部と、外容器蓋体部と、ポンプ体の一部と、を断面図として示す）
【図３】詰替用液体袋の口部を閉塞する口部蓋体の一例を示す断面図
【図４】詰替用液体袋の口部を閉塞する口部蓋体の他の例を示す断面図
【図５】詰替用液体袋の口部を閉塞する口部被覆膜部の一例を示す断面図
【考案を実施するための形態】
【００４１】
本考案に係る詰替用液体袋を用いた液体取出装置（以下、単に「液体取出装置」ということもある。）について図面に基づき詳細に説明する。
【００４２】
本考案は、シャンプー、コンディショナー、トリートメント、その他の頭髪用品をはじめ、液状石鹸、化粧液、歯磨き、ソース、マヨネーズ、食用油、機械油、その他の各種液体（ゲル状或いはゼリー状等の高粘度液体を含む）が充填された液体袋から前記液体をポンプ体によって吸引・注出するに従って、前記詰替用液体袋内の負圧化に伴って収縮（縮小）していく構成のエアレスタイプの液体取出装置である。液体袋内の液体の吸引・注出によって空になった後は、満充填された新規の詰替用液体袋に交換して使い続けることができる構成である。
【００４３】
以下、本考案の液体取出装置の実施例について、図１及び図２に基づき説明する。
【００４４】
先ず、図１に示すように、本考案の液体取出装置１は、液体を収納した詰替用液体袋２と、該詰替用液体袋２に収納した液体の吸引・注出手段であるポンプ体３と、該ポンプ体３の吸引部に連通状態で取り付けられると共に前記詰替用液体袋２の内部に挿通配設される吸引管４と、を有して成り、
前記ポンプ体３の動作によって前記詰替用液体袋２内の液体を吸引・注出するに従って、前記詰替用液体袋２内の負圧化に伴って収縮（縮小）していくエアレスタイプ構成を有し、
前記詰替用液体袋２が、外容器１０に収納された状態で用いられる構成であり、
前記外容器１０が、前記詰替用液体袋２を収納する外容器本体部１１と、該外容器本体部１１の蓋体である外容器蓋体部１２と、を有して成り、
（Ａ）前記詰替用液体袋２の口部２１の外周に口部螺合部２２が設けられると共に、この口部螺合部２２が螺合する口部被螺合部１３が前記外容器蓋体部１２の下面側部分に設けられることにより、外容器蓋体部１２の下面側部分に詰替用液体袋２の口部２１が液密・気密状態で螺合取付される構成であると共に、
（Ｂ）前記ポンプ体３にポンプ体螺合部３１が設けられ、このポンプ体螺合部３１が螺合するポンプ体被螺合部１４が前記外容器蓋体部１２の上面側部分に設けられることにより、外容器蓋体部１２の上面側部分にポンプ体３を液密・気密状態で螺合取付される構成であること、
上記（Ａ）及び（Ｂ）構成によって、詰替用液体袋２の口部２１とポンプ体３とが外容器蓋体部１２を介在して液密・気密状態で接続される構成である。
【００４５】
本考案に用いられる詰替用液体袋２は、所謂リフィール容器であり、好ましい構成としては、この種のエアレスタイプに用いられる袋体として公知公用のものを特別の制限無く用いることができ、例えば、ポリプロピレンフィルム、ポリエチレンフィルム、ナイロンフィルム等のフィルム単層体、或いはこれら複数のフィルム積層体から成る酸素透過抑制積層フィルム等の周囲をヒートシール手段により封止した構成を有する袋体を挙げることができる。
【００４６】
本考案に用いられるポンプ体３の好ましい構成としては、この種のエアレスタイプの液体取出装置に用いられる公知公用のポンプを特別の制限なく用いることができ、上部の押下部を押込操作することで吸引管４並びにポンプ動作部内のピストン・シリンダ内を通って詰替用液体袋２内の液体を吐出口から吐出する構成のものを挙げることができる。尚、ポンプ体３のポンプ構成については、この種の液体取出装置に用いられる一般的なポンプ構成であるため、本明細書ではポンプ体３のポンプ機構についての説明は省略する。
【００４７】
外容器１０の好ましい構成としては、この種の液体取出装置１に用いられる公知公用の合成樹脂ボトルタイプの外容器等を特別の制限なく用いることができる。
【００４８】
以上の構成を有する本考案の液体取出装置１によれば、ポンプ体３と詰替用液体袋２の口部２１とが外容器蓋体部１２を介して液密・気密状態で接続する構成により、容易且つ確実に液密・気密状態での液体注出を行うことができる。詰替用液体袋２の口部２１は、内側や内側奥部に特定の構成を配設する等の複雑な構造を採る必要がなく、単に口部２１を外容器蓋体部１２の下面側部分の口部被螺合部１３に密接状態で螺合する構成とすればよく、またポンプ体３も外容器蓋体１２の上面側部分のポンプ体被螺合部１４に密接状態で螺合する構成とすればよいので、複雑な構成と要することなく低コストに提供可能である。
【００４９】
以上、本考案に係る詰替用液体袋２を用いた液体取出装置１について実施例に基づき説明したが、本考案は上記実施例に限定されず、本考案の範囲内において他の態様を採ることもできる。
【００５０】
本考案に用いられる詰替用液体袋２は、液体取出装置１に取り付けられる前の段階として、口部２１が品質上や衛生上の観点から密封状態で封止されたものであることが好ましく、封止構成としては、口部蓋体で封止する構成が一般的である。
【００５１】
口部蓋体で封止する構成としては、例えば、図３に示すように、詰替用液体袋２の口部２１を閉塞する口部蓋体５であって、この口部蓋体５が、可撓性を有する合成樹脂製であり、口部２１の縁に止着される口部蓋体本体部５１と、該口部蓋体本体部５１と一体構成であり且つ前記口部２１の開口を被覆する口部蓋体被覆膜部５２と、を有して成り、該口部蓋体被覆膜部５２が、破断乃至は穿孔により開栓された状態となる薄膜である構成を挙げることができる。この構成の場合、口部蓋体本体部５１と口部蓋体被覆膜部５２とから成る口部蓋体５はポリエチレン製であることが好ましく、また、口部蓋体被覆膜部５２の厚みは破断乃至は穿孔による開栓に適した０．６ｍｍ以下であることが好ましい。
【００５２】
口部蓋体で封止する別なる構成としては、例えば、図４に示すように、詰替用液体袋２の口部２１を閉塞する口部蓋体５であって、この口部蓋体５が、可撓性を有する合成樹脂製であり、口部２１の縁に止着される口部蓋体本体部５１と、該口部蓋体本体部５１に固着された状態で前記口部２１の開口を被覆する口部蓋体被覆膜部５２と、を有して成り、該口部蓋体被覆膜部５２が、破断乃至は穿孔により開栓された状態となる薄膜である構成を挙げることができる。この構成の場合、口部蓋体本体部５２はポリエチレン製であることが好ましく、また、口部蓋体被覆膜部５２は未延伸ナイロンフィルムとポリオレフィン系樹脂フィルムを含む積層フィルムで構成されていることが好ましい。更に、口部蓋体被覆膜部５２の厚みは破断乃至は穿孔による開栓に適した０．１ｍｍ以下であることが好ましい。
【００５３】
上記した口部蓋体５で封止する構成とする場合は、口部蓋体５を詰替用液体袋２の口部２１に止着して封止した状態のまま液体取出装置１に用いて吸引管４によって突き刺すことにより開栓された状態となる構成とすれば、詰替用液体袋２のバージン性を維持した状態のままリフィル交換が可能となるので衛生面・品質保持面で極めて有効である。
【００５４】
更に、詰替用液体袋２の口部２１を封止する別なる構成として、例えば、図５に示すように、上記した口部蓋体５を用いることなく口部被覆膜部５３を口部２１に直接固着することにより閉塞する構成を挙げることができる。この構成の場合、口部被覆膜部５３は未延伸ナイロンフィルムとポリオレフィン系樹脂フィルムを含む積層フィルムで構成されていることが好ましく、また、口部被覆膜部５３の厚みは破断乃至は穿孔による開栓に適した０．１ｍｍ以下であることが好ましい。
【００５５】
上記した口部２１に口部被覆膜部５３を固着して封止する構成とする場合も、口部被覆膜部５３が口部２１に固着された状態のまま液体取出装置１に用いて吸引管４によって突き刺すことにより開栓された状態となる構成とすれば、詰替用液体袋２のバージン性を維持した状態のままリフィル交換が可能となるので衛生面・品質保持面で極めて有効である。
【符号の説明】
【００５６】
１  液体取出装置
１０  外容器
１１  外容器本体部
１２  外容器蓋体部
１３  口部被螺合部
１４  ポンプ体被螺合部
２  詰替用液体袋
２１  口部
２２  口部螺合部
３  ポンプ体
３１  ポンプ体螺合部
４  吸引管
５  口部蓋体
５１  口部蓋体本体部
５２  口部蓋体被覆膜部
５３  口部被覆膜部
【図１】
0003222637.tif 000003
【図２】
0003222637.tif 000004
【図３】
0003222637.tif 000005
【図４】
0003222637.tif 000006
【図５】
0003222637.tif 000007